(57)【特許請求の範囲】
【請求項１】
被検眼の眼底を照明する照明手段と、
前記照明された眼底を撮像して眼底画像を取得する撮像手段と、
前記眼底からの光の測光値に基づいて前記眼底画像の周縁部のフレアを検出する検出手段と、
前記検出手段によるフレアの検出結果に応じて、前記眼底画像の周縁部の画素値を調整するための前記眼底画像の補正処理を制御する制御手段と、
を備えることを特徴とする眼科撮影装置。
【請求項２】
被検眼の眼底を照明する照明手段と、
前記照明された眼底を撮像して眼底画像を取得する撮像手段と、
前記眼底からの光の測光値に基づいて前記眼底画像の周縁部のフレアを検出する検出手段と、
前記検出手段による検出結果に従って、前記フレアの有る眼底画像上の領域と前記フレアの無い眼底画像上の領域とに対して前記眼底画像の光量を補正するための補正処理を切り換える制御をする制御手段と、
を備えることを特徴とする眼科撮影装置。
【請求項３】
前記検出手段は、前記眼底画像の撮像前に前記照明された眼底からの光の測光値に基づいて、前記撮像された眼底画像の周縁部のフレアを検出することを特徴とする請求項１または２に記載の眼科撮影装置。
【請求項４】
前記検出手段は、前記眼底の撮像前に前記照明された眼底の赤外光画像に基づいて前記測光値を得ることを特徴とする請求項１乃至３のいずれか１項に記載の眼科撮影装置。
【請求項５】
前記眼科撮影装置は無散瞳型であり、
前記照明手段は、可視光または可視光を含まない赤外光で眼底を照明し、
前記検出手段は、前記赤外光で照明された眼底の赤外光画像に基づいて前記眼底画像の周縁部のフレアを検出することを特徴とする請求項１乃至４のいずれか１項に記載の眼科撮影装置。
【請求項６】
前記制御手段の制御に応じて前記眼底画像に前記補正処理を施す補正手段を更に備えることを特徴とする請求項１乃至５のいずれか１項に記載の眼科撮影装置。
【請求項７】
前記撮像手段により撮像された前記眼底画像の異なる複数の領域の測定により、それぞれの領域の測光値を算出する算出手段を更に備え、
前記検出手段は、前記算出手段により算出された前記測光値の比較により、前記測光値が測定された領域におけるフレア有無の検出を行ない、
前記制御手段は、前記検出手段による検出結果に従って、前記フレアの有る眼底画像上の領域と前記フレアの無い眼底画像上の領域とで前記眼底画像の光量不足を補正するための補正処理を変更し、
前記補正手段は、前記制御手段により変更された前記補正処理に従い、前記眼底画像の現像処理を行うことを特徴とする請求項６に記載の眼科撮影装置。
【請求項８】
前記制御手段は、前記補正処理を行うための補正パラメータの変更、あるいは、前記補正処理を行うための補正関数値の変更により前記補正処理を変更することを特徴とする請求項７に記載の眼科撮影装置。
【請求項９】
前記フレアの有る前記眼底画像上の領域に対して、前記制御手段により変更された前記補正処理により求められる補正量は、前記フレアの無い前記眼底画像上の領域に対する補正量よりも小さいことを特徴とする請求項７または８に記載の眼科撮影装置。
【請求項１０】
前記算出手段は、前記眼底画像の内部領域を覆う電子マスクを生成し、電子マスク内における前記眼底画像の領域と、電子マスク外における前記眼底画像の領域と、において前記測光値を算出し、
前記検出手段は、前記算出手段によるＮ回目（Ｎ：２以上の自然数）の測定における前記電子マスク内の前記眼底画像の領域の測光値に比べて前記電子マスク外の前記眼底画像の領域の測光値が大きく、かつ、Ｎ−１回目までの測定における前記電子マスク内の前記眼底画像の領域の測光値平均に比べて前記Ｎ回目の測定における前記電子マスク内の領域の前記測光値が大きい場合、前記電子マスク外の領域を、前記フレアの有る領域と判断することを特徴とする請求項７に記載の眼科撮影装置。
【請求項１１】
前記測光値は、前記撮像手段により撮像された前記眼底画像の明るさを示す情報であることを特徴とする請求項１または２に記載の眼科撮影装置。
【請求項１２】
前記制御手段は、前記フレアの無い領域の前記眼底画像に対して、光量落ち補正処理を行なうように前記補正処理の実行を制御し、
前記制御手段は、前記フレアの有る領域の前記眼底画像に対して、光量落ち補正処理を行わないように前記補正処理の実行を制御することを特徴とする請求項１または２に記載の眼科撮影装置。
【請求項１３】
光路上に配置されたリング状の開口部を介して、前記被検眼に光を導く照明光学手段を更に備えることを特徴とする請求項１または２に記載の眼科撮影装置。
【請求項１４】
前記算出手段は、前記被検眼のアライメントが行われている間に、前記測光値を算出することを特徴とする請求項７に記載の眼科撮影装置。
【請求項１５】
前記被検眼を観察するためのライブビュー機能が使用されない場合に、前記算出手段は前記測光値の算出を行わないことを特徴とする請求項１４に記載の眼科撮影装置。
【請求項１６】
光路上に配置され、前記眼底画像の内部領域を覆う光学マスクを更に備え、
前記算出手段は、前記光学マスクにより覆われる前記眼底画像の内部領域の前記測光値と、前記光学マスクに覆われない前記眼底画像の領域の測光値と、を算出することを特徴とする請求項１４に記載の眼科撮影装置。
【請求項１７】
可視観察用の表示手段から画像を観察している検者を検出する検者検出手段を更に備え、
前記制御手段は、前記検者検出手段の検出結果により前記検者が画像を観察している場合に、赤外観察用の表示手段の表示を行わないように前記赤外観察用の表示手段の表示を制御することを特徴とする請求項１または２に記載の眼科撮影装置。
【請求項１８】
被検眼の眼底を照明する照明手段と、前記照明された撮像して眼底画像を得る撮像手段と、前記眼底からの光の測光値に基づいて前記眼底画像の周縁部のフレアを検出する検出手段と、を有する眼科撮影装置を用いた撮影方法であって、
前記眼科撮影装置の制御手段が、前記検出手段によるフレアの検出結果に応じて、前記眼底画像の周縁部の画素値を調整するための前記眼底画像の補正処理を制御する制御工
を有することを特徴とする撮影方法。
【請求項１９】
被検眼の眼底を照明する照明手段と、前記照明された眼底を撮像して眼底画像を取得する撮像手段と、前記眼底からの光の測光値に基づいて前記眼底画像の周縁部のフレアを検出する検出手段と、を有する眼科撮影装置を用いた撮影方法であって、
前記眼科撮影装置の制御手段が、前記検出手段による検出結果に従って、前記フレアの有る眼底画像上の領域と前記フレアの無い眼底画像上の領域とに対して前記眼底画像の光量を補正するための補正処理を切り換える制御をする制御工程
を有することを特徴とする撮影方法。
【請求項２０】
前記眼科撮影装置の補正手段が、前記制御工程の制御に応じて前記眼底画像に前記補正処理を施す補正工程を更に有することを特徴とする請求項１８または１９に記載の撮影方法。
【発明の詳細な説明】
【技術分野】
【０００１】
本発明は、眼科撮影装置および眼科撮影装置を用いた撮影方法に関するものである。
【背景技術】
【０００２】
デジタルカメラを用いた眼底撮影装置において、眼底画像は撮影光学系の口径触等の影響により撮影された眼底像に光量不足が生じる場合がある。例えば、特許文献１には、この問題を解決するために眼底像の光量落ちを補正する画像処理技術が開示されている。
【先行技術文献】
【特許文献】
【０００３】
【特許文献１】特開平３−８１８７９号公報
【発明の概要】
【発明が解決しようとする課題】
【０００４】
しかしながら、フレアが写り込んでいる眼底画像に対して光量補正を行うと、フレアが強調されてしまい、読影不能な部位が増加してしまう問題が発生する。
【０００５】
本発明は、眼底画像におけるフレアの検出結果に基づいて、フレアが含まれる領域とフレアが含まれない領域とで補正処理を切り替えて、フレアが強調されない眼底画像の撮影が可能な眼科撮影技術を提供する。
【課題を解決するための手段】
【０００６】
上記の目的を達成するために、本発明にかかる眼科撮影装置は、被検眼の眼底を照明する照明手段と、
前記照明された眼底を撮像して眼底画像を取得する撮像手段と、
前記眼底からの光の測光値に基づいて前記眼底画像の周縁部のフレアを検出する検出手段と、
前記検出手段によるフレアの検出結果に応じて、前記眼底画像の周縁部の画素値を調整するための前記眼底画像の補正処理を制御する制御手段と、を備えることを特徴とする。
あるいは、本発明にかかる眼科撮影装置は、被検眼の眼底を照明する照明手段と、
前記照明された眼底を撮像して眼底画像を取得する撮像手段と、
前記眼底からの光の測光値に基づいて前記眼底画像の周縁部のフレアを検出する検出手段と、
前記検出手段による検出結果に従って、前記フレアの有る眼底画像上の領域と前記フレアの無い眼底画像上の領域とに対して前記眼底画像の光量を補正するための補正処理を制御する制御手段と、を備えることを特徴とする。
【発明の効果】
【０００７】
本発明によれば、眼底画像におけるフレアの検出結果に基づいて、フレアが含まれる領域とフレアが含まれない領域とで補正処理を切り替えて、フレアが強調されない良好な眼底画像の撮影が可能になる。
【図面の簡単な説明】
【０００８】
【図１】第１実施形態にかかる無散瞳型の眼底カメラの構成図。
【図２】無散瞳型の眼底カメラによる観察状態を示す図。
【図３】フレア検出方法に用いる眼底画像の領域を示す図。
【図４】フレア検出結果に基づく周辺光量落ち補正の流れを説明する図。
【図５】第２実施形態にかかる散瞳型の眼底カメラの構成図。
【発明を実施するための形態】
【０００９】
（第１実施形態）
図１の参照により、本発明の第１実施形態にかかる眼科撮影装置（眼底カメラ）の構成を説明する。第１実施形態にかかる眼科撮影装置（眼底カメラ）は、無散瞳型の眼底カメラの構成を例示している。観察用光源１から対物レンズ８に至る光路上には、コンデンサレンズ２、撮影用光源３、ミラー４、リング状の開口を有する絞り５、リレーレンズ６、孔あきミラー７が順次に配列されている。これらの構成要素は被検眼Ｅに光を導く眼底照明光学系１５０を構成する。孔あきミラー７の透過方向の光路上には、合焦レンズ９、撮影レンズ１０、および跳ね上げミラー１１が配列されている。これらの構成要素は、撮影カメラ１００内に構成されている撮像素子１０２に光を導く眼底撮影光学系２５０を構成している。また、跳ね上げミラー１１の反射方向には、被検眼Ｅの固視を誘導するためのＬＥＤ等の発光部材を整列配置した内部固視灯１２が構成されている。
【００１０】
ここで、観察用光源１は赤外光を射出するＬＥＤ光源であり、跳ね上げミラー１１は赤外光を透過し、可視光を反射するミラーとなっている。一方、孔あきミラー７の前面には、図示していないが、アライメント指標のＬＥＤ光源とその光束を導くライトガイドの出射端が配置されており、被検眼Ｅの角膜面にアライメント指標を投影するアライメント用指標投影系を構成している。同様に、図示していないが、眼底照明光学系１５０には、被検眼Ｅの眼底Ｅｒにフォーカス指標を投影するフォーカス用指標投影系が構成される。これらアライメント用指標投影系およびフォーカス用指標投影系は、眼科撮影装置（眼底カメラ）にとって重要な構成であるが、本発明の特徴を説明する上では、必要とならないため詳しい説明は省略する。
【００１１】
これまで説明した光学的構成とは別に、撮影用光源３の制御を行う撮影光源制御部１４が眼科撮影装置（眼底カメラ）全体の制御を行うシステム制御部１５に接続されている。また、被検眼Ｅの静止画撮影を実行する撮影開始スイッチが構成された入力部１３もシステム制御部１５に接続されている。システム制御部１５は入力部１３からの入力を受けて、被検眼Ｅの静止画撮影の実行を開始することが可能である。
【００１２】
（撮影カメラ１００）
次に、撮影カメラ１００の概略的な構成について説明する。本実施形態において、撮影カメラ１００は、例えば、一眼レフタイプのデジタルカメラを用いることが可能であり、上述した眼科撮影装置（眼底カメラ）の構成の一部となっている。撮影カメラ１００は、眼科撮影装置（眼底カメラ）から取り外し可能な構成となっている。撮影カメラ１００は種々の機能部によって構成されているが、図１には本発明の特徴を説明する上で必要な部分のみを示している。撮影カメラ１００は、撮影カメラ１００の全体的な制御を行う撮影カメラ制御部１０５、撮像素子１０２、撮像素子１０２からの出力に対する測光値を算出する測光値算出部１０３、ＬＣＤ等の動画観察モニター１０４を有する。
【００１３】
また、撮像素子１０２の前面側には、撮影カメラ１００内の跳ね上げミラー１０１、シャッター幕である先幕１１０ａおよび後幕１１０ｂが構成されている。撮影カメラ制御部１０５は、跳ね上げミラー１０１、先幕１１０ａ、後幕１１０ｂ、測光値算出部１０３、動画観察モニター１０４にそれぞれ接続され、撮影カメラ１００の全体的な制御を行うとともに、システム制御部１５と電気的な接点で接続されている。
【００１４】
次に各部の動作について、検者の操作と合わせて説明を行う。まず、アライメント時について説明する。観察用光源１から出射した赤外光の光束は、コンデンサレンズ２、撮影用光源３を通り、ミラー４で反射される。ミラー４での反射光は、リング状の開口を有する絞り５、リレーレンズ６を通り、孔あきミラー７の周辺で反射し、対物レンズ８、被検眼Ｅの瞳Ｅｐを通り赤外光で眼底Ｅｒを照明する。
【００１５】
赤外光で照明された眼底Ｅｒの赤外反射光は、被検眼Eの瞳Ｅｐ、対物レンズ８、孔あきミラー７の孔の中を通り、合焦レンズ９、撮影レンズ１０、可視光を反射し赤外光を透過する、跳ね上げミラー１１を透過する。そして、眼底Ｅｒの赤外反射光は、撮像素子１０２上に結像する。このように、観察用光源１から出射した赤外光は、眼底Ｅｒで反射された後、撮像素子１０２上に結像し、動画観察モニター１０４上にライブビュー状態を示す動画として観察できる。
【００１６】
一方、アライメント用指標投影系およびフォーカス用指標投影系から発せられた光は、それぞれ被検眼の角膜面と眼底Ｅｒで反射され撮像素子１０２上に結像する。眼底Ｅｒの観察像Ｅｒ’とともに、アライメント指標ＷＤ１,ＷＤ２およびフォーカス指標ＳＰは、動画観察モニター１０４上で図２のように観察可能となっている。検者は、このアライメント指標ＷＤ１,ＷＤ２がアライメント位置Ｍに入り、フォーカス指標ＳＰが水平に配置されて横一本になるように、被検眼Ｅと眼科撮影装置（眼底カメラ）との位置合わせを行うとともに、眼底Ｅｒのフォーカス合わせを行う。
【００１７】
本実施形態では眼底の観察時に跳ね上げミラー１０１は眼底撮影光学系２５０の光路に進入した状態から退避した状態に制御され、先幕１１０ａと後幕１１０ｂは開放状態に制御されている。この状態で、アライメント指標やフォーカス指標を含んだ眼底Ｅｒからの反射光を撮像素子１０２上に導光できる。
【００１８】
測光値算出部１０３は、撮像素子１０２により撮像された眼底画像に基づき、眼底画像内の異なる複数の領域について測光値を算出し、記録する機能を有する。測光値算出部１０３は、撮像素子１０２により撮像されている観察像から測光値を算出することが可能である。この測光値算出部１０３による測光値の算出処理は、観察像の明るさを示す情報（例えば、輝度、明度の情報）を定量化していることになる。具体的には、眼底反射率が低い場合、測光値（輝度、明度）は低くなり、反射率が高い場合、測光値（輝度、明度）は大きくなる。
【００１９】
撮影カメラ制御部１０５は測光値算出部１０３により記録された複数の領域に対応する測光値の比較を行い、測光値の比較によりフレアの有無の検出を行うフレア検出機能を有する。また、撮影カメラ制御部１０５は、測光値算出部１０３により検出されたフレア検出結果に基づいて、フレアの有る画像領域とフレアの無い画像領域とで眼底画像の光量を補正するための補正処理を切替えることができる。具体的な補正処理の内容は後に説明する。
【００２０】
本実施形態にかかる眼科撮影装置（眼底カメラ）の構成によれば、アライメントを行いながら、観察像の測光を並列に行うことが可能である。つまり、撮影カメラ１００の動画観察モニター１０４を用いて、被検眼Ｅのアライメントを行ないながら、測光値算出部１０３により、観察像の測光値を算出することが可能である。
【００２１】
一方、ライブビュー機能を使用しない状態では、撮影カメラ制御部１０５によって、跳ね上げミラー１０１が眼底撮影光学系２５０の光路上に挿入された状態に制御され、先幕１１０ａは閉じた遮光状態に制御される。このため、眼底Ｅｒからの反射光と、アライメント指標やフォーカス指標を撮像素子１０２上に導光することはできない。この場合、測光値算出部１０３は、撮像素子１０２上に観察像が撮像されていないため測光値の算出を行わない。
【００２２】
（フレア検出および光量補正）
フレア検出技術として、照明光が被検眼前眼部に照射され、被検眼前眼部により反射され反射光が撮像光学系のアライメントずれにより眼底像周辺部に発生するフレアを検出する技術がある。例えば、特開平７−２５５６８０号公報には、観察像の眼底全体の輝度と眼底中央部の輝度とを比較し、フレアの検出を可能にするフレア検出技術が開示されている。また、特開２００５−２６１５３３号公報には、撮影した画像情報の中で空間周波数が定められたレベルを下回り、輝度値が定められたレベル以上の個所をフレアと判断し、画像情報の中からフレア部を除去する技術が開示されている。
【００２３】
一方、特開平７−２５５６８０号公報、特開２００５−２６１５３３号公報で開示されているフレア検出技術では、フレア検出のための専用光学系の追加や撮影した画像情報の専用演算処理回路が必要となる。このため、眼科撮影装置（眼底カメラ）の光学系の複雑化、装置のコストアップを要するという問題もある。
【００２４】
以下に説明するフレア検出方法は、フレア検出のための専用光学系や専用処理回路を増やすことなく、より正確かつ高速にフレアを検出し、フレアが強調されることのない眼底画像の撮影が可能な撮影技術を提供するものである。
【００２５】
図３および図４の参照により、本実施形態の特徴的な処理であるフレア検出方法並びにフレア検出結果に基づく眼底画像の周辺の光量落ちを補正するための補正処理の切り替えを説明する。眼底画像は撮影光学系の口径触等の影響により撮影された眼底画像の外周部に光量不足が生じる場合がある。ここでは、眼底画像の周辺部における光量不足を補正するための補正処理の例を説明する。
【００２６】
測光値算出部１０３は、撮像された眼底画像に基づき、眼底画像内の異なる複数の領域の測定により、それぞれの領域の測光値を算出し、不図示の内部メモリに記録することが可能である。また、測光値算出部１０３は、観察状態で撮像素子１０２により撮像された眼底Ｅｒの眼底画像の内部領域を覆う電子マスクを生成し、眼底Ｅｒの眼底画像と合成することが可能である。測光値算出部１０３は、電子マスク内における眼底画像の領域と、電子マスク外における眼底画像の領域とにおいて測光値を算出することが可能である。尚、跳ね上げミラー１１と撮影カメラ１００との間に光学マスクを配置することも可能であるが、新たな光学系を追加しないという観点から電子マスクの利用はより好適なものである。
【００２７】
図３は観察状態で撮像素子１０２に撮像されている眼底Ｅｒの眼底画像を示している。図３中のＲ１は電子マスクの大きさ（直径のサイズ）を示している。眼底画像の大きさ（直径のサイズ）をＲ２とすると、眼底画像の大きさと電子マスクの大きさとの関係はＲ２＞Ｒ１の関係を満たす。眼底Ｅｒの眼底画像の内部領域は電子マスクにより覆われており、眼底画像の周辺部は、電子マスクに覆われていない領域（部分表示領域）となる。領域Ｆ１は大きさＲ１の電子マスクの内部の最外周部つまり電子マスク内の最外周部の領域を示している。領域Ｆ２は電子マスク外の眼底画像の周辺部の領域を示している。
【００２８】
眼底画像の周辺部におけるフレアの検出は、観察時における領域Ｆ１、 Ｆ２の測光値を用いて以下の条件（１）、（２）の判断結果に基づく。
【００２９】
条件（１）：今回（Ｎ回目：Ｎは２以上の自然数（以下同様））の測定（算出）による領域Ｆ１の測光値より領域Ｆ２の測光値が大きいこと。
【００３０】
条件（２）：前回（Ｎ−１回目）までの測定（算出）による電子マスク内の測光値平均より、今回（Ｎ回目）の測定（算出）による領域Ｆ１の測光値が大きいこと。
【００３１】
撮影カメラ制御部１０５は、測光値算出部１０３により求められた複数の領域（例えば、領域Ｆ１、Ｆ２）の測光値の比較を行なう。また、撮影カメラ制御部１０５は、記録されている前回（Ｎ−１回目）までの電子マスク内の測光値から測光値平均を算出し、今回（Ｎ回目）の測定により算出した領域Ｆ１の測光値との比較を行なう。そして、これらの比較結果によりフレア有無の検出を行う。
【００３２】
撮影カメラ制御部１０５は、Ｎ回目の測定における電子マスク内の眼底画像の領域の測光値に比べて、電子マスク外の眼底画像の領域の測光値が大きい場合、条件（１）を満たすと判断する。そして、撮影カメラ制御部１０５は、記録されているＮ−１回目までの測定による電子マスク内の眼底画像の領域の測光値平均に比べてＮ回目の測定における電子マスク内の測光値が大きい場合、条件（２）を満たすと判断する。条件（１）、（２）が同時に成り立つとき、撮影カメラ制御部１０５は、領域Ｆ２（電子マスク外の眼底画像の領域）にフレアが有る画像と判断する。一方、判断条件（１）、（２）のいずれか一方の条件が満たされない場合、撮影カメラ制御部１０５は、領域Ｆ２にフレアが無い画像と判断する。尚、条件（１）、（２）の判断における大小関係の比較は、測光値の閾値を定めておき、差分が閾値を越えるか否かで大小関係を判断することも可能である。
【００３３】
撮影カメラ制御部１０５は、フレアの検出結果に従って、フレアの有る眼底画像上の領域とフレアの無い眼底画像上の領域とで眼底画像の光量を補正するための補正処理を切替える。図４を参照して、補正処理（周辺光量落ち補正処理）の流れを説明する。ここで、周辺光量落ち補正処理とは撮影光学系の口径触等の影響により光量不足が生じた眼底画像の周辺部の光量を補正する処理をいう。本処理は撮影カメラ制御部１０５の全体的な制御の下に実行される。
【００３４】
まず、ステップＳ４０１において、眼底画像を撮影し、撮影した眼底画像におけるフレアの有無を判断する。図３の例では、眼底画像の周辺部の領域がフレアの有無の判断対象となる。フレア有無の判断は上述の条件（１）、（２）に基づくものであり、この判断結果に従って、フレアの有る眼底画像上の領域とフレアの無い眼底画像上の領域とで眼底画像の光量を補正するための補正処理が切替えられる。条件（１）および（２）を同時に満たすとき（Ｓ４０２−Ｙｅｓ）、対象となる眼底画像（図３の場合、眼底画像の周辺部の領域）にフレアが有ると判断され、処理はステップＳ４０３に進められる。
【００３５】
ステップＳ４０３において、撮影カメラ制御部１０５は、フレアが有ると判断された領域に対する特定の補正処理を行なう。例えば、フレアの有る眼底画像の領域に対して、切替えられる補正処理により求められる補正量は、フレアの無い領域に対する補正量より小さくすることが可能である。また、補正処理を行うための補正パラメータの切替え、あるいは、補正関数値の変更により補正処理を切替えることも可能である。あるいは、周辺光量落ち補正処理を行わないように補正処理の実行を制御することも可能である。これは、フレアが無い領域と同様に通常の周辺光量落ち補正処理をフレアに施して、フレアが強調されてしまい、読影不能な部位が増加することを未然に防止するためである。
【００３６】
一方、ステップＳ４０２の判定において、条件（１）および（２）を同時に満たさない場合（Ｓ４０２−Ｎｏ）、対象となる眼底画像（図３の場合、眼底画像の周辺部の領域）にフレアが無いと判断され、処理はステップＳ４０４に進められる。これは、フレアが無い領域の画像に対して周辺光量落ち補正処理を施しても、フレアが強調されることが無いため、読影不能な部位が増加するという問題が生じないためである。
【００３７】
ステップＳ４０４において、撮影カメラ制御部１０５は、フレアが無い領域の画像に対して通常通りに光量落ち補正処理を行うように補正処理の実行を制御する。そして、ステップＳ４０５において、撮影状態に適した眼底画像が生成される。すなわち、切替えられた補正処理（Ｓ４０３またはＳ４０４）に従い、眼底画像の現像処理が実行される。
【００３８】
本実施形態でのフレア検出は、測光値算出部１０３により算出された測光値を利用して、撮影前にフレア検出を行ったが、撮影した眼底画像からフレアの有無を判断することも可能である。そして、撮影した眼底画像に対して上述の条件（１）、（２）を適用して、フレアの有無を判断し、周辺光量落ち補正処理を行うようにしても良い。
【００３９】
（第２実施形態）
図５の参照により、本発明の第２実施形態にかかる眼科撮影装置（眼底カメラ）の構成を説明する。第２実施形態にかかる眼科撮影装置（眼底カメラ）は、散瞳型の眼底カメラに応用した場合について説明する。第１実施形態で説明した図１の構成と同様の構成要素については同じ符号を付しており、その説明は省略する。第１実施形態の構成（図１）に追加される構成要素としては、赤外カットフィルター５０２、挿脱可能な反射ミラー５０３、直視ファインダー５０４である。赤外カットフィルター５０２は、眼底照明光学系１５０に挿脱可能であり、コンデンサレンズ２と、撮影用光源３との間に挿入される。また、跳ね上げミラー１１の上方に、反射ミラー５０３が構成されている。跳ね上げミラー１１から導かれた光は、反射ミラー５０３により反射され、検者が可視光により被検眼の観察が可能な直視ファインダー５０４に導光される。第２の実施例では、図１で構成されている内部固視灯の代わりに、図示していない外部固視灯を構成して、被検者の固視誘導をより細かくできるようになっている。
【００４０】
第１実施形態の構成要素に対して機能の異なるものは光源観察用光源１である。第１実施形態では、赤外光を射出するＬＥＤとしていたが、第２実施形態では、可視光を射出するハロゲンランプとしている点で相違している。
【００４１】
次に各部の動作および操作についての説明を行う。第２実施形態の眼科撮影装置（眼底カメラ）の観察時において、赤外カットフィルター５０２は、眼底照明光学系１５０の光路から退避した位置に配置されている。観察用光源１から出射した可視光の光束は、コンデンサレンズ２を通り、赤外成分を残したまま照射される。以下、跳ね上げミラー１１までは、第１実施形態と同様であるので、説明を省略する。跳ね上げミラー１１は、赤外光を透過し、可視光を反射するミラーとなっているため、可視光は反射ミラー５０３の方向に反射される。そして、反射ミラー５０３で反射された可視光は直視ファインダー５０４に導かれる。反射ミラー５０３で反射された可視光は直視ファインダー５０４により観察可能である。このように、第１実施形態と異なり、第２実施形態にかかる眼科撮影装置（眼底カメラ）では、可視光を用いた直視観察を行い、被検眼Ｅのアライメントを行うことが可能である。
【００４２】
ここで、跳ね上げミラー１１から透過した赤外光は、そのまま撮影カメラ１００の撮像素子１０２に撮像されるようになっているので、第１実施形態と同様の測光処理が可能である。図３および図４で説明した、フレア検出処理、およびフレア検出結果に基づく眼底画像の周辺光量落ちを補正する補正処理を本実施形態にかかる眼科撮影装置（眼底カメラ）に適用することが可能である。
【００４３】
また、第１実施形態では、撮影カメラ１００のライブビュー機能を用いることで、動画観察モニター１０４による観察を行っていた。第２実施形態でも、同様に動画観察モニター１０４による観察を行うことで、撮影カメラ１００による赤外観察と、直視ファインダー５０４による可視観察の両方の観察を行うことが可能である。また、撮影カメラ制御部１０５は動画観察モニター１０４への表示を行わないように表示制御を行い、節電することも可能である。
【００４４】
さらに、直視ファインダー５０４の近傍に、直視ファインダー５０４から画像を観察している検者を検出するためのセンサーを設けることも可能である。センサーの検出結果を用いて検者による可視観察が行われている場合のみ、動画観察モニター１０４への表示を行わないように、撮影カメラ制御部１０５は動画観察モニター１０４の表示を制御することも可能である。
【００４５】
以上の構成とすることにより、直視ファインダー５０４による可視観察を行う散瞳型眼底カメラに対しても、第１実施形態で説明した赤外観察を行う無散瞳型眼底カメラと同様の効果を得ることが可能である。また、撮影カメラ内部の撮像素子１０２を撮影用と測光値の算出用で兼用しているため、測光専用のセンサーを構成する装置に比べ簡略化が可能である。本実施形態では、可視光を射出するハロゲンランプの赤外光成分を用いて、被検眼の眼底の反射率を求めている。さらに、跳ね上げミラー１１に一部可視光を透過するミラーを用いることで、赤外カットフィルター５０２を光路上に挿入し、または光路上から退避する進退機構を省略する方法も考えられる。
【００４６】
上述の第１および第２実施形態によれば、眼底画像におけるフレアの検出結果に基づいて、フレアが含まれる領域とフレアが含まれない領域とで補正処理を切り替えて、フレアが強調されない良好な眼底画像の撮影が可能になる。
【００４７】
また、新たな光学系を追加せず、観察時の測光値を用いることで高速にフレア検出を行うことが可能となり、電子マスク内部領域だけでなく、電子マスク外部領域の測光値を利用することで正確なフレア検出が可能となる。また、一般に使われるデジタルカメラを用いてフレア検出を行う構成とすることで、フレア検出を行うための専用の光学系、専用のセンサーを構成する必要がなく、装置を小型化でき安価な眼科撮影装置（眼底カメラ）を提供することも可能である。
【００４８】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005539123.tif 000002
【図４】
0005539123.tif 000003
【図５】
0005539123.tif 000004
【図２】
0005539123.tif 000005
【図３】
0005539123.tif 000006